(57)【要約】      （修正有）【課題】物品が収納される収納領域に複数の蓄冷材を一度に設置できながらも、蓄冷材による蓄冷効果を向上させる。【解決手段】蓄冷材を保持するための蓄冷用シート１において、断熱材からなるベースシート１０の一方の面に、蓄冷材を収納するための複数の収納ポケット２１ａ〜２１ｄを設け、前記収納ポケット２１ａ〜２１ｄは、前記ベースシート１０の前記一方の面側に配置されたポケット用シート２０がその一部にて前記ベースシート１０と縫合または接合されることによって形成される。【選択図】図１
2014219109.tif 000002
【特許請求の範囲】
【請求項１】
蓄冷材を保持するための蓄冷用シートであって、
断熱材からなるベースシートの一方の面に、前記蓄冷材を収納するための複数の収納ポケットが設けられた蓄冷用シート。
【請求項２】
請求項１に記載の蓄冷用シートにおいて、
前記収納ポケットは、前記ベースシートの前記一方の面側に配置されたポケット用シートがその一部にて前記ベースシートと縫合または接合されることによって形成され、
前記ポケット用シートは、前記ベースシートよりも断熱性が低い蓄冷用シート。
【請求項３】
請求項１または請求項２に記載の蓄冷用シートにおいて、
前記ベースシートは、前記収納ポケットに前記蓄冷材を収納するための収納口を有する蓄冷用シート。
【発明の詳細な説明】
【技術分野】
【０００１】
本発明は、蓄冷材を保持するための蓄冷用シートに関する。
【背景技術】
【０００２】
近年、物流システムにおいては、物品を低温で輸送するサービスが、陸送、空輸を問わず提供されている。物品を低温で輸送する場合は、例えば、物品を収納するコンテナ内に蓄冷材を設置し、この蓄冷材の冷気によって物品を低温に保持することが考えられる。その場合、コンテナの大きさによっては多くの蓄冷材を設置することになり、手間と時間がかかってしまう。
【０００３】
ここで、複数の蓄冷材を収納可能な蓄冷板が特許文献１に開示されている。この蓄冷板は、重ね合わされた２枚の合成樹脂の一部がシールされることで、蓄冷材を収納するポケットが複数設けられている。この蓄冷板を用いることにより、コンテナ等の収納領域に手間をかけずに一度に多くの蓄冷材を設置することができるようになる。
【先行技術文献】
【特許文献】
【０００４】
【特許文献１】実開昭５７−２４９８５号
【発明の概要】
【発明が解決しようとする課題】
【０００５】
上述したような蓄冷材は、周囲の温度によってその蓄冷効果を維持できる時間が変化する。そのため、上述したように２枚の合成樹脂の一部がシールされることで構成される蓄冷板を用いた場合でも、物品を収納するコンテナの材質によっては、コンテナの外部の温度の影響を受けて蓄冷効果が低下し、物品を低温で輸送できる時間が短くなってしまったり、物品の輸送中にコンテナ内の温度が決められた温度以上に上昇してしまったりする虞れがある。
【０００６】
本発明は、上述したような従来の技術が有する問題点に鑑みてなされたものであって、物品が収納される収納領域に複数の蓄冷材を一度に設置できながらも、蓄冷材による蓄冷効果を向上させることができる蓄冷用シートを提供することを目的とする。
【課題を解決するための手段】
【０００７】
上記目的を達成するために本発明は、
蓄冷材を保持するための蓄冷用シートであって、
断熱材からなるベースシートの一方の面に、前記蓄冷材を収納するための複数の収納ポケットが設けられている。
【０００８】
上記のように構成された本発明においては、ベースシートの一方の面に設けられた複数の収納ポケットのそれぞれに蓄冷材が収納され、物品が収納される収納領域に配置されることにより、物品が収納される収納領域に複数の蓄冷材を一度に設置することができる。また、ベースシートが断熱材からなるものであるため、ベースシートの収納ポケットとは反対側を取り付け面として収納領域の内壁面や床面、天井に取り付けることにより、収納ポケットに収納された蓄冷材が収納領域の外部の温度の影響を受けにくくなる。また、蓄冷用シートを、収納領域の内壁面や床面、天井の全面に取り付ければ、収納領域内の冷気が収納領域の外部に伝達されてしまうことが抑制される。
【０００９】
また、収納ポケットを構成するポケット用シートの断熱性をベースシートよりも低いものとすることにより、蓄冷材の冷気が収納領域の内部に伝達されやすくなる。
【００１０】
また、ベースシートに、収納ポケットに蓄冷材を収納するための収納口を設けることにより、ベースシートの収納ポケットとは反対側を取り付け面として収納領域の内壁面や床面、天井に取り付けた場合、収納口が表出せず、見栄えが悪くなってしまうことがないとともに、蓄冷材が脱落しにくくなる。
【発明の効果】
【００１１】
本発明によれば、断熱材からなるベースシートの一方の面に、蓄冷材を収納するための複数の収納ポケットが設けられているため、物品が収納される収納領域に複数の蓄冷材を一度に設置できながらも、ベースシートの収納ポケットとは反対側を取り付け面として収納領域の内壁面や床面、天井に取り付けることにより、収納ポケットに収納された蓄冷材が収納領域の外部の温度の影響を受けにくくなり、蓄冷材による蓄冷効果を向上させることができる。
【００１２】
また、収納ポケットが、ベースシートの一方の面側に配置されたポケット用シートがその一部にてベースシートと縫合または接合されることによって形成され、ポケット用シートの断熱性がベースシートよりも低いものにおいては、蓄冷材の冷気を収納領域の内部に伝達しやすくすることができる。
【００１３】
また、ベースシートが、収納ポケットに蓄冷材を収納するための収納口を有するものにおいては、ベースシートの収納ポケットとは反対側を取り付け面として収納領域の内壁面や床面、天井に取り付けた場合、収納口が表出せず、見栄えが悪くなってしまうことがないとともに、蓄冷材を脱落しにくくすることができる。
【図面の簡単な説明】
【００１４】
【図１】本発明の蓄冷用シートの実施の一形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【図２】図１に示した蓄冷用シートでの蓄冷材の保持方法を説明するための図である。
【図３】図１に示した蓄冷用シートに保持された蓄冷材の冷却方法を説明するための図である。
【図４】図１に示した蓄冷用シートのコンテナへの設置方法を説明するための図であり、（ａ）はコンテナへの取り付け方法を示す図、（ｂ）はコンテナ内に蓄冷用シートが取り付けられた状態を示す図である。
【図５】図１に示した蓄冷用シートによる作用を説明するための図である。
【図６】図１に示した蓄冷用シートの収納ポケットからの蓄冷材の取り出し方法を説明するための図である。
【図７】本発明の蓄冷用シートの他の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）はスリットの形成位置について説明するための図である。
【図８】図７に示した蓄冷用シートにおけるスリットの形成位置による作用を説明するための図である。
【発明を実施するための形態】
【００１５】
以下に、本発明の実施の形態について図面を参照して説明する。
【００１６】
図１は、本発明の蓄冷用シートの実施の一形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）は（ｇ）に示したＢ−Ｂ’断面図である。
【００１７】
本形態は図１に示すように、長方形のベースシート１０の一方の面に、４つの収納ポケット２１ａ〜２１ｄが、ベースシート１０の長手方向に並んで設けられて構成された蓄冷用シート１である。
【００１８】
ベースシート１０は、断熱材からなるものであり、例えば、発泡ポリエチレンとアルミ蒸着ＰＥＴフィルムからなるものや、発泡ポリエチレンとポリエチレン不織布とアルミ蒸着フィルムからなるものや、ポリエステルのキルティング生地とアルミ蒸着フィルムからなるものや、断熱グラスウールを付着させたものや、多孔質シリカを付着させたシリカファイバーシートや、エアロジェルからなるもの等を用いることができる。ベースシート１０は、収納ポケット２１ａ〜２１ｄのそれぞれに対応して、収納ポケット２１ａ〜２１ｄに蓄冷材を収納するための収納口となる開口部２４ａ〜２４ｄ（２４ａのみ図示）と、収納ポケット２１ａ〜２１ｄとは反対側に開くように構成され、開口部２４ａ〜２４ｄを覆う蓋部２３ａ〜２３ｄとが設けられている。また、ベースシート１０の収納ポケット２１ａ〜２１ｄとは反対側には、収納ポケット２１ａ〜２１ｄの全てに渡って帯状の面ファスナー１１が取り付けられている。この開口部２４ａ〜２４ｄ及び蓋部２３ａ〜２３ｄと面ファスナー１１とは、ベースシート１０の短手方向の一端側に開口部２４ａ〜２４ｄ及び蓋部２３ａ〜２３ｄが設けられ、他端側に面ファスナー１１が取り付けられている。
【００１９】
収納ポケット２１ａ〜２１ｄは、ベースシート１０の一方の面側に配置されたポケット用シート２０が、その周縁部及び収納ポケット２１ａ〜２１ｄの境界にてベースシート１０と縫合されていることによって形成されており、それぞれ、蓄冷材に応じた大きさ及び蓄冷材の厚さ分だけのマチを有している。そのため、収納ポケット２１ａ〜２１ｄの境界には、ポケット用シート２０とベースシート１０とが縫合された縫合部２２ａ〜２２ｃが存在しており、収納ポケット２１ａ〜２１ｄは、ベースシート１０の長手方向において縫合部２２ａ〜２２ｃを介して隙間なく並べられた状態となっている。ポケット用シート２０は、例えばメッシュ状のシートからなり、収納ポケット２１ａ〜２１ｄに収納された蓄冷材による冷気をポケット用シート２０側から収納ポケット２１ａ〜２１ｄの外部に伝達しやすくしている。なお、ポケット用シート２０は、メッシュ状のシートである必要はないが、ベースシート１０よりも断熱性が低いことが好ましい。
【００２０】
ベースシート１０及びポケット用シート２０の周縁部は、縁カバー３０によって覆われている。この縁カバー３０によって覆われた領域のうち、ベースシート１０の開口部２４ａ〜２４ｄ及び蓋部２３ａ〜２３ｄが設けられた側の端辺には、ベースシート１０、ポケット用シート２０及び縁カバー３０を表裏貫通した孔部３１が所定の間隔を有して形成されている。
【００２１】
以下に、上記のように構成された蓄冷用シートの使用方法について説明する。
【００２２】
まず、図１に示した蓄冷用シート１での蓄冷材の保持方法について説明する。
【００２３】
図２は、図１に示した蓄冷用シート１での蓄冷材の保持方法を説明するための図である。
【００２４】
図１に示した蓄冷用シート１においては、収納ポケット２１ａ〜２１ｄに蓄冷材を収納することによって蓄冷材を保持することになる。図２（ａ）〜（ｃ）においては、収納ポケット２１ａへの蓄冷材の収納方法を示すが、収納ポケット２１ｂ〜２１ｄへの蓄冷材の収納方法も同様である。
【００２５】
収納ポケット２１ａに蓄冷材を収納する場合は、まず、図２（ａ）に示すように、ベースシート１０に設けられた蓋部２３ａを捲り上げる。
【００２６】
次に、図２（ｂ）に示すように、開口部２４ａから蓄冷材２を収納ポケット２１ａ収納していく。この際、開口部２４ａの両端部には、蓋部２３ａとは反対側に延びた２本のスリット２６ａが形成されているため、ベースシート１０の２本のスリット２６ａに挟まれた領域を収納ポケット２１ａとは反対側に捲ることによって開口部２４ａを大きく開口させて蓄冷材２を収納ポケット２１ａに収納することができる。
【００２７】
そして、蓄冷材２が完全に収納ポケット２１ａに収納されると、図２（ｃ）に示すように、蓋部２３ａが元の状態に戻り、蓋部２３ａによって開口部２４ａが塞がれる。
【００２８】
このようにして、収納ポケット２１ａ〜２１ｄのそれぞれに蓄冷材２が収納された状態となり、図２（ｄ）に示すように、蓄冷用シート１にて４つの蓄冷材２が保持された状態となる。この際、収納ポケット２１ａ〜２１ｄが、ベースシート１０の長手方向において縫合部２２ａ〜２２ｃを介して隙間なく並べられた状態となっているとともに、蓄冷材に応じた大きさを有しているため、収納ポケット２１ａ〜２１ｄに収納された蓄冷材２が互いに近接した状態となる。
【００２９】
次に、上記のようにして蓄冷用シート１に保持された蓄冷材２の冷却方法について説明する。
【００３０】
図３は、図１に示した蓄冷用シート１に保持された蓄冷材２の冷却方法を説明するための図である。
【００３１】
一般的に、蓄冷材２は使用される前に冷凍庫等で冷却されることになるが、図１に示した蓄冷用シート１は、４つの収納ポケット２１ａ〜２１ｄが並んだ構成であるため、このままの状態では、冷凍庫等の大きさによっては冷却することができない場合がある。
【００３２】
本形態における蓄冷用シート１は、収納ポケット２１ａ〜２１ｄの境界に、ベースシート１０とポケット用シート２０とが縫合された縫合部２２ａ〜２２ｃが存在しているため、この縫合部２２ａ〜２２ｃを折り線として利用して折り畳むことができる。
【００３３】
例えば、図３（ａ）に示すように、収納ポケット２１ａと収納ポケット２１ｂとの境界に存在する縫合部２２ａと、収納ポケット２１ｃと収納ポケット２１ｄとの境界に存在する縫合部２２ｃとをそれぞれ折り線としてベースシート１０が内側となるように折り畳んでいくと、図３（ｂ）に示すように、収納ポケット２１ａと収納ポケット２１ｂとが対向するとともに、収納ポケット２１ｃと収納ポケット２１ｄとが対向するように蓄冷用シート１を折り畳むことができる。なお、蓄冷用シート１の長手方向両端部には、縁カバー３０によって覆われた領域が存在するが、この２つの領域を重ね合わせることや、この領域を図３（ｂ）に示すように折り畳むことによって、蓄冷用シート１の折り畳みに影響を及ばなくすることができる。また、実際には、縁カバー３０によって覆われた領域の幅を狭くすることにより、蓄冷用シート１の折り畳みに影響を及ばなくすることが考えられる。
【００３４】
また、図３（ｃ）に示すように、収納ポケット２１ｂと収納ポケット２１ｃとの境界に存在する縫合部２２ｂを折り線としてベースシート１０が内側となるように折り畳んでいくと、図３（ｄ）に示すように、収納ポケット２１ａと収納ポケット２１ｄとが対向するとともに、収納ポケット２１ｂと収納ポケット２１ｃとが対向するように蓄冷用シート１を折り畳むことができる。
【００３５】
なお、ベースシート１０とポケット用シート２０とは、縫合ではなく融着等の手段によって接合されていてもよいが、その場合でも、上述したように収納ポケット２１ａ〜２１ｄの境界部分を折り線として利用できるように、接合部分は幅が狭いライン状となっていることが好ましい。
【００３６】
このようにして、蓄冷用シート１を折り畳んでコンパクトにした状態で、冷凍庫等にて蓄冷材２を冷却することができる。
【００３７】
次に、物品が収納される収納領域となるコンテナへの蓄冷用シート１の設置方法について説明する。
【００３８】
図４は、図１に示した蓄冷用シート１のコンテナへの設置方法を説明するための図であり、（ａ）はコンテナへの取り付け方法を示す図、（ｂ）はコンテナ内に蓄冷用シート１が取り付けられた状態を示す図である。
【００３９】
図４（ａ）に示すように、本形態において物品が収納されるコンテナの内壁１０１には、所定間隔で突起１０３が設けられているとともに、その下方に面ファスナー１０２が取り付けられている。この突起１０３と面ファスナー１０２の内壁１０１における相対位置は、図１に示した蓄冷用シート１の孔部３１と面ファスナー１１との相対位置に応じたものとなっている。
【００４０】
そこで、図４（ａ）に示すように、ベースシート１０の収納ポケット２１ａ〜２１ｄとは反対側が内壁１０１に対向するように、内壁１０１に設けられた突起１０３を蓄冷用シート１の孔部３１に通して掛けるとともに、蓄冷用シート１の面ファスナー１１と内壁１０１の面ファスナー１０２とを接合させることによって、蓄冷用シート１をコンテナの内壁に取り付けて設置することができる。この際、孔部３１は、蓄冷用シート１の縁カバー３０によって覆われた領域のうち、開口部２４ａ〜２４ｄ及び蓋部２３ａ〜２３ｄが設けられた側の端辺に設けられているため、図４（ａ）に示すように、開口部２４ａ〜２４ｄ及び蓋部２３ａ〜２３ｄが設けられた側が上方に位置することになり、それにより、収納ポケット２１ａ〜２１ｄに収納された蓄冷材２が開口部２４ａ〜２４ｄから脱落しにくい状態となっている。また、このようにベースシート１０の収納ポケット２１ａ〜２１ｄとは反対側を取り付け面としてコンテナの内壁１０１に取り付けた場合、収納ポケット２１ａ〜２１ｄに蓄冷材２を収納するための開口部２４ａ〜２４ｄ及び蓋部２３ａ〜２３ｄが表出せず、見栄えが悪くなってしまうことがない。また、これによっても、蓄冷材２を脱落しにくくすることができる。
【００４１】
このようにして、図４（ｂ）に示すように、蓄冷用シート１をコンテナ１００の内壁１０１の全面に取り付けることができる。この際、収納ポケット２１ａ〜２１ｄが、ベースシート１０の長手方向において縫合部２２ａ〜２２ｃを介して隙間なく並べられた状態となっているとともに、蓄冷材に応じた大きさを有していることにより、収納ポケット２１ａ〜２１ｄに収納された蓄冷材２が互いに近接した状態となっているため、限られた空間に、より多くの蓄冷材２を取り付けることができる。また、コンテナ１００の内壁１０１に蓄冷用シート１を隙間なく取り付けることにより、コンテナ１００の内壁１０１を、蓄冷材２でほぼ覆われた状態とすることができる。
【００４２】
次に、蓄冷用シート１による作用について説明する。
【００４３】
図５は、図１に示した蓄冷用シート１による作用を説明するための図である。
【００４４】
上記のようにコンテナ１００の内壁１０１に取り付けられた蓄冷用シート１においては、収納ポケット２１ａ〜２１ｄに収納された蓄冷材２とコンテナ１００の内壁１０１との間に、断熱材からなるベースシート１０が存在する。そのため、図５に示すように、コンテナ１００の外気の熱がベースシート１０にて遮断され、蓄冷材２がコンテナ１００の外部の温度の影響を受けにくくなり、蓄冷材２によるコンテナ１００内部の蓄冷効果を向上させることができる。一方、ポケット用シート２０が、メッシュ状のシートのようなベースシート１０よりも断熱性が低いものからなるため、蓄冷材２による冷気がコンテナ１００の内部に伝達しやすくなる。
【００４５】
また、コンテナ１００内部の冷気もベースシート１０にて遮断されることになるため、蓄冷用シート１を、コンテナ１００の内壁１０１以外に、床面や天井の全面に取り付ければ、コンテナ１００内部の冷気がコンテナ１００の外部に伝達されてしまうことを抑制することができる。
【００４６】
次に、収納ポケット２１ａ〜２１ｄからの蓄冷材２の取り出し方法について説明する。
【００４７】
図６は、図１に示した蓄冷用シート１の収納ポケット２１ａ〜２１ｄからの蓄冷材２の取り出し方法を説明するための図である。なお、図６においては、収納ポケット２１ａからの蓄冷材２の取り出し方法を示すが、収納ポケット２１ｂ〜２１ｄからの蓄冷材２の取り出し方法も同様である。
【００４８】
収納ポケット２１ａから蓄冷材２を取り出す場合は、まず、図６（ａ）に示すように、ベースシート１０に設けられた蓋部２３ａを捲り上げる。
【００４９】
そして、図６（ｂ）に示すように、この開口部２４ａから蓄冷材２を取り出していく。この際、ベースシート１０の２本のスリット２６ａに挟まれた領域を収納ポケット２１ａとは反対側に捲ることによって開口部２４ａを大きく開口させて蓄冷材２を収納ポケット２１ａから取り出すことになる。
【００５０】
このように、蓋部２３ａ〜２３ｄを捲り上げて開口部２４ａ〜２４ｄを大きく開口させ、この開口部２４ａ〜２４ｄから蓄冷材２を取り出す構成とすることにより、収納ポケット２１ａ〜２１ｄに収納された蓄冷材２を開口部２４ａ〜２４ｄから脱落しにくくすることができる。
【００５１】
（他の実施の形態）
図７は、本発明の蓄冷用シートの他の実施の形態を示す図であり、（ａ）は表面図、（ｂ）は（ａ）に示した矢印Ｃ方向から見た側面図、（ｃ）は（ａ）に示した矢印Ｄ方向から見た側面図、（ｄ）は（ａ）に示した矢印Ｅ方向から見た側面図、（ｅ）は（ａ）に示した矢印Ｆ方向から見た側面図、（ｆ）は（ａ）に示したＡ−Ａ’断面図、（ｇ）は裏面図、（ｈ）はスリット２５ａ〜２５ｄの形成位置について説明するための図である。
【００５２】
本形態は図７に示すように、図１に示したものに対して、ベースシート１０に、収納ポケット２１ａ〜２１ｄに蓄冷材を収納するための収納口として、開口部２４ａ〜２４ｄ及びそれを開閉可能に覆う蓋部２３ａ〜２３ｄの代わりに、スリット２５ａ〜２５ｄが収納ポケット２１ａ〜２１ｄのそれぞれに対応して形成されている点のみが異なるものである。スリット２５ａ〜２５ｄは、図７（ｄ）に示すように、収納ポケット２１ａ〜２１ｄの孔部３１が形成された側の端部から幅Ｗだけ反対側の端部側に形成されており、かつ、その幅Ｗが、収納ポケット２１ａ〜２１ｄに収納される蓄冷材の厚さ以下となっている。
【００５３】
上記のように構成された蓄冷用シート２０１においても、図１に示したものと同様にして利用される。
【００５４】
以下に、上述したような位置にスリット２５ａ〜２５ｄを形成したことによる作用について説明する。
【００５５】
図８は、図７に示した蓄冷用シート２０１におけるスリット２５ａ〜２５ｄの形成位置による作用を説明するための図である。
【００５６】
上述したように、スリット２５ａ〜２５ｄを、収納ポケット２１ａ〜２１ｄの孔部３１が形成された側の端部から幅Ｗだけ反対側の端部側に形成し、かつ、その幅Ｗを、収納ポケット２１ａ〜２１ｄに収納される蓄冷材の厚さ以下とすることにより、収納ポケット２１ａ〜２１ｄに収納された蓄冷材をスリット２５ａ〜２５ｄから取り出す際、図８に示すように、ベースシート１０のスリット２５ａ〜２５ｄよりも孔部３１が形成された側を剥くようにして取り出すこととなり、それにより、収納ポケット２１ａ〜２１ｄに収納された蓄冷材２をスリット２５ａ〜２５ｄから脱落しにくくすることができる。
【００５７】
なお、上述した実施の形態においては、ポケット用シート２０がその周縁部及び収納ポケット２１ａ〜２１ｄの境界にてベースシート１０と縫合されているが、ポケット用シート２０の周縁部においては、その一部にてベースシート１０と縫合されている構成としてもよい。そして、ポケット用シート２０がベースシート１０と縫合されていない部分を、収納ポケット２１ａ〜２１ｄに蓄冷材を収納するための収納口として用いてもよい。その場合、図１に示した蓋部２３ａ〜２３ｄや図８に示したような作用によって蓄冷材を収納ポケット２１ａ〜２１ｄから脱落しにくくする効果を得ることはできないものの、ベースシート１０の収納ポケット２１ａ〜２１ｄとは反対側を取り付け面としてコンテナの内壁１０１に取り付けた場合に、収納口が表出しないことにより、蓄冷材を脱落しにくくする効果は得ることができる。
【００５８】
また、収納ポケットの数は、４つに限らず複数であればよいことは言うまでもない。
【符号の説明】
【００５９】
１，２０１    蓄冷用シート
２    蓄冷材
１０    ベースシート
１１，１０２    面ファスナー
２０    ポケット用シート
２１ａ〜２１ｄ    収納ポケット
２２ａ〜２２ｃ    縫合部
２３ａ〜２３ｄ    蓋部
２４ａ    開口部
２５ａ〜２５ｄ，２６ａ〜２６ｄ    スリット
３０    縁カバー
３１    孔部
１００    コンテナ
１０１    内壁
１０３    突起
【図１】
2014219109.tif 000003
【図２】
2014219109.tif 000004
【図３】
2014219109.tif 000005
【図４】
2014219109.tif 000006
【図５】
2014219109.tif 000007
【図６】
2014219109.tif 000008
【図７】
2014219109.tif 000009
【図８】
2014219109.tif 000010